(57)【要約】      （修正有）【課題】折り畳み可能なジョウロを提供する。【解決手段】ジョウロフレーム、ジョウロ本体２及び注ぎ口３を含み、ジョウロフレームの中部が中空であり、ジョウロフレームの片側に注ぎ口が設けられ、ジョウロ本体は、ジョウロフレームの中空部位に取り外し可能に取り付けられ、ジョウロ本体の頂部に給水口が設けられ、ジョウロ本体の側面に出水口が設けられ、出水口が接続装置を介して注ぎ口に接続され、接続装置は、出水口に連通し、且つジョウロ本体に固定して接続された注ぎ口接続具を含み、注ぎ口接続具の両側に注ぎ口３を接続するための取付回転孔が設けられ、注ぎ口の両側に取付回転孔内に挿入接続可能な回転柱体１２が設けられ、注ぎ口は、注ぎ口接続具に回動自在に接続され、注ぎ口の注ぎ口接続具に接続された端は、円柱状又は球状の接続端１３であり、注ぎ口接続具に接続端に適合する円弧状の凹溝が設けられ、接続端に注ぎ口の出水パイプに連通する通水孔が設けられる。【選択図】図６
0003222971.tif 000002
【実用新案登録請求の範囲】
【請求項１】
ジョウロフレーム（１）、ジョウロ本体（２）及び注ぎ口（３）を含み、前記ジョウロフレーム（１）の中部が中空であり、ジョウロフレーム（１）の片側に注ぎ口（３）が設けられ、前記ジョウロ本体（２）は、ジョウロフレーム（１）の中空部位に取り外し可能に取り付けられ、ジョウロ本体（２）の頂部に給水口（５）が設けられ、ジョウロ本体（２）の側面に出水口（６）が設けられ、前記出水口（６）が接続装置を介して前記注ぎ口（３）に接続され、
前記接続装置は、前記出水口（６）に連通し、且つ前記ジョウロ本体（２）に固定して接続された注ぎ口接続具（７）を含み、
前記注ぎ口接続具（７）の両側に前記注ぎ口（３）を接続するための取付回転孔（１１）が設けられ、前記注ぎ口（３）の両側に回転柱体（１２）が設けられ、前記注ぎ口（３）は、前記注ぎ口接続具（７）に回動自在に接続され、前記注ぎ口（３）の注ぎ口接続具（７）に接続された端は、円柱状又は球状の接続端（１３）であり、前記注ぎ口接続具（７）に適合する円弧状の凹溝（１４）が設けられ、前記接続端（１３）に注ぎ口（３）の出水パイプに連通する通水孔（１５）が設けられることを特徴とする折り畳み可能なジョウロ。
【請求項２】
前記注ぎ口接続具（７）の両側に位置決め孔（８）が設けられ、前記ジョウロフレーム（１）内に前記位置決め孔（８）に対応する位置決め柱（９）が設けられ、前記ジョウロフレーム（１）に注ぎ口接続具（７）のエッジを包む凸縁（１０）がさらに設けられる、ことを特徴とする請求項１に記載の折り畳み可能なジョウロ。
【請求項３】
前記注ぎ口接続具（７）内に接続端（１３）に密封接続されたシールリング（１６）が設けられることを特徴とする請求項１に記載の折り畳み可能なジョウロ。
【請求項４】
前記ジョウロフレーム（１）は、左ジョウロフレーム（１７）及び右ジョウロフレーム（１８）を含むことを特徴とする請求項１に記載の折り畳み可能なジョウロ。
【請求項５】
前記注ぎ口（３）にノズル（１９）が接続され、前記ノズル（１９）は、ノズルカバー（２０）、ノズルシート（２１）、及びノズルカバー（２０）のエッジにヒンジで接続された回転ノズル具（２２）を含み、前記回転ノズル具（２２）及びノズルシート（２１）のいずれにも出水孔が設けられる、ことを特徴とする請求項１に記載の折り畳み可能なジョウロ。
【請求項６】
前記ジョウロ本体（２）は、軟質な防水材質で作製されることを特徴とする請求項１に記載の折り畳み可能なジョウロ。
【請求項７】
前記ジョウロフレーム（１）の片側に逆Ｌ型の取っ手（２３）がさらに設けられることを特徴とする請求項１に記載の折り畳み可能なジョウロ。
【請求項８】
前記給水口（５）は、取付部（２４）及びねじ山が設けられた接続部（２５）を含み、前記給水口（５）に取付部（２４）と接続部（２５）とを貫通する給水孔（２７）が開設され、前記給水孔（２７）は、ジョウロ本体（２）の内部空洞に連通する、ことを特徴とする請求項１に記載の折り畳み可能なジョウロ。
【請求項９】
前記給水口（５）は、ジョウロ本体（２）と同じ材質で作製され、前記給水口（５）の壁厚がジョウロ本体（２）の壁厚よりも厚いことを特徴とする請求項８に記載の折り畳み可能なジョウロ。
【請求項１０】
前記ジョウロフレーム（１）に通孔（２６）が開設され、前記取付部（２４）は、通孔（２６）内に設けられてジョウロフレーム（１）に接続され、前記接続部（２５）は、ジョウロフレーム（１）から伸び出すことを特徴とする請求項８に記載の折り畳み可能なジョウロ。
【請求項１１】
前記取付部（２４）は、少なくとも１つの突起（２８）を有し、前記ジョウロフレーム（１）の通孔（２６）内に前記突起（２８）にフィットする位置決め溝（３０）が設けられることを特徴とする請求項１０に記載の折り畳み可能なジョウロ。
【請求項１２】
前記接続部（２５）には、ジョウロ蓋（３２）が接続され、前記ジョウロ蓋（３２）は、接続部（２５）に密封を形成することができることを特徴とする請求項８に記載の折り畳み可能なジョウロ。
【請求項１３】
前記接続部（２５）に少なくとも一回りの外ねじ山が設けられ、前記ジョウロ蓋（３２）に前記接続部（２５）の外ねじ山にフィットする少なくとも一回りの内ねじ山が設けられることを特徴とする請求項１２に記載の折り畳み可能なジョウロ。
【請求項１４】
前記ジョウロ蓋（３２）に位置決め具が設けられ、前記ジョウロ蓋（３２）が給水口（５）に接続される場合に、位置決め具は、給水孔（２７）の内壁（２７ａ）に密接することを特徴とする請求項１２に記載の折り畳み可能なジョウロ。
【請求項１５】
前記位置決め具は、ジョウロ蓋（３２）内に設けられた位置決めリング（３５）であり、前記位置決めリング（３５）は、傾斜した外側面（３６）を有し、前記外側面（３６）の直径は、ジョウロ蓋（３２）の内底面（３４）から軸方向に沿ってジョウロ蓋（３２）の内底面（３４）を離れる方向に向かうにつれて徐々に小さくなることを特徴とする請求項１４に記載の折り畳み可能なジョウロ。
【請求項１６】
前記外側面（３６）の、ジョウロ蓋（３２）の内底面（３４）での直径は、給水孔（２７）の直径よりもやや大きく、前記外側面（３６）の、ジョウロ蓋（３２）の内底面（３４）を離れる箇所の直径は、給水孔（２７）の直径よりもやや小さいことを特徴とする請求項１５に記載の折り畳み可能なジョウロ。
【請求項１７】
前記接続部（２５）の端面（３３）は平面であり、前記端面（３３）は、ジョウロ蓋（３２）の内底面（３４）に密接して密封を形成することができることを特徴とする請求項１２に記載の折り畳み可能なジョウロ。
【請求項１８】
前記接続端（１３）の両側に位置制限溝（３７）が開設され、少なくとも１本の前記位置決め柱（９）は、位置決め孔（８）から伸び出して位置制限溝（３７）内に位置することを特徴とする請求項２に記載の折り畳み可能なジョウロ。
【考案の詳細な説明】
【技術分野】
【０００１】
本考案は、ジョウロの技術分野に属し、具体的には、折り畳み可能なジョウロに関する。
【背景技術】
【０００２】
既存のジョウロは、日常生活の中で花の水やり、水撒きに用いられている用具である。しかし、ジョウロは、一般に体積が大きく、変化できないため、保管や持ち運びに不便であり、スペースが取られるなどの欠点があるとともに、吐水量を制御することができない。
【考案の概要】
【０００３】
本考案は、体積が小さく、使用に便利で、ノズルの吐水量を調節できる折り畳み可能なジョウロを提供することを目的とする。
【０００４】
本考案の技術課題を解決する態様は、以下の通りである。
【０００５】
ジョウロフレーム、ジョウロ本体及び注ぎ口を含み、上記ジョウロフレームの中部が中空であり、ジョウロフレームの片側に注ぎ口が設けられ、上記ジョウロ本体は、ジョウロフレームの中空部位に取り外し可能に取り付けられ、ジョウロ本体の頂部に給水口が設けられ、ジョウロ本体の側面に出水口が設けられ、上記出水口は、接続装置を介して上記注ぎ口に接続され、
上記接続装置は、上記出水口に連通し、且つ上記ジョウロ本体に固定して接続された注ぎ口接続具を含み、
上記注ぎ口接続具の両側に上記注ぎ口を接続するための取付回転孔が設けられ、上記注ぎ口の両側に回転柱体が設けられ、上記注ぎ口は、上記注ぎ口接続具に回動自在に接続され、上記注ぎ口の注ぎ口接続具に接続された端は、円柱状又は球状の接続端であり、上記注ぎ口接続具に、適合する円弧状の凹溝が設けられ、上記接続端に注ぎ口の出水パイプに連通する通水孔が設けられる折り畳み可能なジョウロ。
【０００６】
上記注ぎ口接続具の両側に位置決め孔が設けられ、上記ジョウロフレーム内に上記位置決め孔に対応する位置決め柱が設けられ、上記ジョウロフレームに注ぎ口接続具のエッジを包む凸縁がさらに設けられる。
【０００７】
上記注ぎ口接続具内に接続端に密封接続されたシールリングが設けられる。
【０００８】
上記ジョウロフレームは、左ジョウロフレーム及び右ジョウロフレームを含む。
【０００９】
上記注ぎ口にノズルが接続され、上記ノズルは、ノズルカバー、ノズルシート及びノズルカバーのエッジにヒンジで接続された回転ノズル具を含み、上記回転ノズル具及びノズルシートのいずれにも出水孔が設けられる。
【００１０】
上記ジョウロ本体は、軟質な防水材質で作成される。
【００１１】
上記ジョウロフレームの片側に逆Ｌ型の取っ手が設けられる。
【００１２】
上記給水口は、取付部及びねじ山が設けられた接続部を含み、上記給水口に取付部と接続部とを貫通する給水孔が開設され、上記給水孔は、ジョウロ本体の内部空洞に連通する。
【００１３】
上記給水口は、ジョウロ本体と同じ材質で作製され、且つ上記給水口の壁厚がジョウロ本体の壁厚よりも厚い。
【００１４】
上記ジョウロフレームに通孔が開設され、上記取付部が通孔内に設けられ、ジョウロフレームに接続され、上記接続部がジョウロフレームから伸び出す。
【００１５】
上記取付部に、少なくとも１つの突起を有し、上記ジョウロフレームの通孔内に上記突起にフィットする位置決め溝が設けられる。
【００１６】
上記接続部にジョウロ蓋が接続され、上記ジョウロ蓋は、接続部と密封を形成することができる。
【００１７】
上記接続部に少なくとも一回りの外ねじ山が設けられ、上記ジョウロ蓋に上記接続部の外ねじ山にフィットする少なくとも一回りの内ねじ山が設けられる。ジョウロ蓋と接続部との接続は、係止接続又は他の接続方式であってもよいが、接続の信頼性を確保するために、ねじ山接続が好ましい。
【００１８】
上記ジョウロ蓋に位置決め具が設けられ、上記ジョウロ蓋が給水口に接続される場合に、位置決め具は、給水孔の内壁に密接する。
【００１９】
上記位置決め具は、ジョウロ蓋内に設けられた位置決めリングであり、上記位置決めリングは、傾斜した外側面を有し、上記外側面の直径は、ジョウロ蓋の内底面から軸方向に沿ってジョウロ蓋の内底面を離れる方向に向かうにつれて徐々に小さくなる。
【００２０】
上記外側面の、ジョウロ蓋の内底面での直径は、給水孔の直径直径よりも大きく、上記外側面の、ジョウロ蓋の内底面を離れる箇所の直径は、給水孔の直径よりも小さい。
【００２１】
上記接続部の端面は平面であり、上記端面は、ジョウロ蓋の内底面に密接して密封を形成することができる。
【００２２】
上記接続端の両側に位置制限溝が開設され、少なくとも１本の上記位置決め柱は、位置決め孔から伸び出して位置制限溝内に位置する。
【００２３】
本考案は、従来技術に比べて、以下の有益な効果を有する。
１．本考案では、注ぎ口が折り畳み可能な構造をとることにより、ジョウロの収納が便利となり、スペースを節約することができる。
２．本考案では、軟質な防水材質のジョウロ本体を用いることにより、ジョウロの収納及び運搬が便利となる。
３．本考案では、ノズルの設計により、ノズルの吐水量を調節することが可能となり、使用が便利になる。
４．本考案では、取っ手の設計により、使用者は、自身の好みに応じて異なる方向部位を握ることができる。
【図面の簡単な説明】
【００２４】
【図１】本考案の構造模式図である。
【図２】本考案の組立分解図である。
【図３】本考案の注ぎ口接続具とジョウロフレームとの間の接続構造の模式図である。
【図４】本考案の注ぎ口接続具の構造模式図である。
【図５】本考案の注ぎ口の構造模式図である。
【図６】本考案の片側ジョウロフレームを取り外した構造の模式図である。
【図７】本考案のジョウロ蓋の構造模式図である。
【図８】本考案のジョウロ蓋の接続状態の断面構造模式図である。
【図９】本考案の別の注ぎ口の構造模式図である。
【符号の説明】
【００２５】
１−ジョウロフレーム；２−ジョウロ本体；３−注ぎ口；５−給水口；６−出水口；７−注ぎ口接続具；８−位置決め孔；９−位置決め柱；１０−凸縁；１１−取付回転孔；１２−回転柱体；１３−接続端；１４−円弧状の凹溝；１５−通水孔；１６−シールリング；１７−左ジョウロフレーム；１８−右ジョウロフレーム；１９−ノズル；２０−ノズルカバー；２１−ノズルシート；２２−回転ノズル具；２３−取っ手；２４−取付部；２５−接続部；２６−通孔；２７−給水孔；２７ａ−内壁；２８−突起；３０−位置決め溝；３２−ジョウロ蓋；３３−端面；３４−内底面；３５−位置決めリング；３６−外側面；３７−位置制限溝。
【考案を実施するための形態】
【００２６】
以下、図面を参照しながら、具体的な実施例を用いて本考案をさらに説明する。
【００２７】
実施例１
【００２８】
図１〜５に示す折り畳み可能なジョウロは、ジョウロフレーム１、ジョウロ本体２及び注ぎ口３を含む。上記ジョウロフレーム１の中部は中空であり、ジョウロフレーム１の片側に注ぎ口３が設けられ、上記ジョウロ本体２はジョウロフレーム１の中空部位に取り外し可能に取り付けられ、ジョウロ本体２の頂部に給水口５が設けられ、ジョウロ本体２の側面に出水口６が設けられ、上記出水口６は接続装置を介して上記注ぎ口３に接続されている。
【００２９】
上記接続装置は、上記出水口６に連通し、上記ジョウロ本体２に固定して接続された注ぎ口接続具７を含む。
【００３０】
上記注ぎ口接続具７の両側に上記注ぎ口を接続するための取付回転孔１１が設けられ、上記注ぎ口の両側に回転柱体１２が設けられ、上記注ぎ口３は上記注ぎ口接続具７に回動自在に接続される。上記注ぎ口３の注ぎ口接続具７に接続された端は、円柱状又は球状の接続端１３であり、上記注ぎ口接続具７には、適合する円弧状の凹溝１４が設けられ、上記接続端に注ぎ口の出水パイプに貫通する通水孔１５が設けられる。注ぎ口２の接続端１３は、上記注ぎ口接続具７に回動自在に接続され、注ぎ口接続具７に上記通水孔１５にフィットする開口が開設される。注ぎ口２を回動するときに、通水孔１５と開口が可動に接続される。注ぎ口３が一定の角度に収められると、注ぎ口接続具７の開口は通水孔１５に連通しなくなることで、ジョウロ内の水が流出しない一方、注ぎ口３が一定の角度に展開されると、通水孔１５が開口と連通するようになり、且つ展開角度の増加につれて、通水孔１５と開口の接触面が増大する。
【００３１】
上記注ぎ口接続具７の両側に位置決め孔８が設けられ、上記ジョウロフレーム１内に上記位置決め孔８に適合する位置決め柱９が対応して設けられ、上記ジョウロフレーム１に注ぎ口接続具７のエッジを包む凸縁１０も設けられる。凸縁１０は、注ぎ口２の回動角度を制限する作用も奏する。位置決め柱９と位置決め孔８の組み合わせにより、注ぎ口接続具７はジョウロフレーム１にしっかりと取り付けられる。注ぎ口接続具７の両側にそれぞれ３つの位置決め孔が設けられて三角位置決めを形成することが好ましいが、位置決め孔の数が制限されない。
【００３２】
上記注ぎ口接続具７内に接続端１３に密封接続されたシールリング１６が設けられる。シールリング１６は、水漏れを防止する。
【００３３】
上記ジョウロフレーム１は、左ジョウロフレーム１７及び右ジョウロフレーム１８を含む。
【００３４】
上記注ぎ口３にノズル１９が接続される。
【００３５】
上記ノズル１９は、ノズルカバー２０、ノズルシート２１及びノズルカバー２０のエッジにヒンジで接続された回転ノズル具２２を含む。上記回転ノズル具２２及びノズルシート２１のいずれにも出水孔が設けられる。使用際に、回転ノズル具２２を捻ることで各出水孔の吐水量を変化させることにより、ジョウロの吐水量を調節する目的を達成する。
【００３６】
上記ジョウロ本体２は、軟質な防水材質で作製される。軟質材質を用いることで、ジョウロ本体は収縮することができ、輸送及び保存が便利であり、不使用されないときに、手でジョウロ体を押し付けてジョウロフレーム内に収めることができる。
【００３７】
上記ジョウロフレームの片側に逆Ｌ型の取っ手２３が設けられる。取っ手の設計により、使用者は、自身の好みに応じて異なる方向部位を握ることができる。取っ手の屈曲部は、弧形面であり、握ることが便利であり、且つ手で取っ手を握るときに快適である。
【００３８】
図６〜８に示すように、給水口５は、ジョウロ本体２と同じ材質で作製され、且つ一体に接続される。これにより、給水口５を有するジョウロ本体２は、一回で成形することができ、加工及び取付が便利である。給水口５は、取付部２４及びねじ山が設けられた接続部２５を含む。ジョウロフレーム１に通孔２６が開設され、取付部２４は、通孔２６内に設けられてジョウロフレーム１に接続される。給水口５に取付部２４と接続部２５とを貫通する給水孔２７が開設され、給水孔２７は、ジョウロ本体２の内部空洞に連通し、給水口５の壁厚は、ジョウロ本体２の壁厚よりも厚い。給水口５の壁厚をジョウロ本体２の壁厚よりも厚くすることにより、給水口５の強度を向上させ、取付部２４をジョウロフレーム１に容易に取り付けることができるだけではなく、接続部２５の接続強度を向上させることができる。
【００３９】
取付部２４は、少なくとも１つの突起２８を有し、ジョウロフレーム１の通孔２６内に上記突起２８にフィットする位置決め溝３０が設けられる。本実施例では、取付部２４に２つの突起２８を有し、ジョウロフレーム１に突起２８にフィットする２つの位置決め溝３０が設けられ、ジョウロ本体２がジョウロフレーム１に付けられるときに、取付部２４の突起２８は、ジョウロフレーム１の位置決め溝３０内に設けられて接続を形成する。給水口５は、ジョウロ本体２と同様に軟質な防水材質で作製されるため、給水口５全体の強度を向上させることができ、接続部２５の接続安定性及び密封性能を保証することができる。
【００４０】
接続部２５に少なくとも一回りのねじ山を有し、接続部２５の端面３３は平面である。本実施例では、接続部２５は、ジョウロフレーム１から伸び出し、一回りの完全な外ねじ山が開設され、接続部２５にジョウロ蓋３２がねじ山を介して接続される。ジョウロ蓋３２には、上記接続部２５の外ねじ山にフィットする少なくとも一回りの完全な内ねじ山が開設され、ジョウロ蓋３２は、締め付けられた場合に接続部２５のねじ山に接続され密封を形成することができる。接続部２５に一回りの外ねじ山が設けられることにより、接続部２５の構造が簡潔であり、給水口５の強度をさらに保証できる。また、一回りの完全外ねじ山だけで、ジョウロ蓋３２の内ねじと一次密封を形成することができる。
【００４１】
図７及び図８に示すように、ジョウロ蓋３２の内底面３４に位置決め具が設けられる。本実施例では、位置決め具は、ジョウロ蓋３２内に設けられた環状の位置決めリング３５である。位置決めリング３５は、傾斜した外側面３６を有し、外側面３６の直径は、内底面３４から軸方向に沿ってジョウロ蓋３２の内底面３４を離れる方向に向かうにつれて徐々に小さくなり、且つ外側面３６の、ジョウロ蓋３２の内底面３４での直径は、給水孔２７の直径よりも大きく、外側面３６の、ジョウロ蓋３２の内底面３４を離れる箇所の直径は、給水孔２７の直径よりも小さい。ジョウロ蓋３２が給水口５に接続されることにより、位置決めリング３５が給水孔２７内に迅速に入って接続部２５を支持及び位置決めするとともに、給水孔２７の内壁２７ａが位置決めリング３５の外側面３６に密接して二次密封を形成することができる。さらに、ジョウロ蓋３２を締め付けることにより、接続部２５の端面３３が位置決めリング３５の外側面３６とジョウロ蓋３２の内ねじ山との間にある内底面３４に密接して三次密封を形成する。
【００４２】
本考案では、ジョウロ蓋３２と接続部２５との接続によりジョウロ本体２の給水孔２７を密封し、注ぎ口３と注ぎ口接続具７により出水口６を密封することにより、ジョウロ本体２内に密閉の空間を形成する。したがって、本考案のジョウロは、使用されないときに、ジョウロ蓋３２を開くか、又は注ぎ口３とジョウロ本体２とを連通させ、ジョウロ本体２を押し付けて内部空気を排出してから、ジョウロ蓋３２を締め付けるか、又は注ぎ口３を回転させることでジョウロ本体２の出水口６を密封することにより、ジョウロ本体２に圧縮状態にし、ジョウロ全体が占めるスペースが小さくなり、格納及び輸送が便利である。
【００４３】
実施例２
【００４４】
図９に示すように、本実施例は、実施例１の構造及び原理と基本的に同じであるが、接続端１３の両側に位置制限溝３７が開設され、本実施例の位置制限溝３７が腰状溝、ジョウロフレーム１における少なくとも１本の位置決め柱９が位置決め孔８から伸び出して位置制限溝３７内に位置し注ぎ口３を位置決めし、本実施例における位置決め柱９は、注ぎ口接続具７上の三角形の位置決め孔を形成する最下方の位置決め孔８から伸び出す位置決め柱９であり、それぞれ両側の位置制限溝３７内に入るという点で実施例１と異なる。
【００４５】
実施例３
【００４６】
本実施例は、実施例１の構造及び原理と基本的に同じであるが、取付部２４に少なくとも１つ凹溝（図示せず）を有し、上記ジョウロフレーム１の通孔２６内に上記凹槽にフィットする位置決め突起（図示せず）が設けられるという点で実施例１と異なる。
【００４７】
実施例４
【００４８】
本実施例は、実施例１の構造及び原理と基本的に同じであるが、位置決め具は、ジョウロ蓋３２の内底面３４に設けられた環状で間隔をあけて分布する複数の位置決めブロックであり、ジョウロ蓋３２が給水口５に締め付けられるときに、給水孔２７の内壁２７ａは、位置決めブロックに当接し、複数の位置決めブロックが接続部を支持及び位置決めするという点で実施例１と異なる。本実施例では、接続部２５の外ねじ山とジョウロ蓋３２の内ねじ山の接続、及び接続部２５の端面３３と位置決めブロック３５とジョウロ蓋３２内ねじ山との間にある内底面３４との組み合わせにより密封する。
【００４９】
実施例５
【００５０】
本実施例は、実施例１の構造及び原理と基本的に同じであるが、給水口５は硬質材質で作製され、ジョウロ本体２は、接着剤、箍、ブローによる固定又は給水口５と接続を形成可能な他の方式により固定し、ジョウロ蓋２と給水口５とが密封を形成することができるという点で実施例１と異なる。
【００５１】
上述実施例は、本考案の好適実施例に過ぎず、本考案の保護範囲を制限するものではない。したがって、本考案の構造、形状、原理に基づいて行われる等価変更は、すべて本考案の保護範囲内に含まれる。
【図１】
0003222971.tif 000003
【図２】
0003222971.tif 000004
【図３】
0003222971.tif 000005
【図４】
0003222971.tif 000006
【図５】
0003222971.tif 000007
【図６】
0003222971.tif 000008
【図７】
0003222971.tif 000009
【図８】
0003222971.tif 000010
【図９】
0003222971.tif 000011
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
ジョウロフレーム（１）、ジョウロ本体（２）及び注ぎ口（３）を含み、前記ジョウロフレーム（１）の中部が中空であり、ジョウロフレーム（１）の片側に注ぎ口（３）が設けられ、前記ジョウロ本体（２）は、ジョウロフレーム（１）の中空部位に取り外し可能に取り付けられ、ジョウロ本体（２）の頂部に給水口（５）が設けられ、ジョウロ本体（２）の側面に出水口（６）が設けられ、前記出水口（６）が接続装置を介して前記注ぎ口（３）に接続され、
前記接続装置は、前記出水口（６）に連通し、且つ前記ジョウロ本体（２）に固定して接続された注ぎ口接続具（７）を含み、
前記注ぎ口接続具（７）の両側に前記注ぎ口（３）を接続するための取付回転孔（１１）が設けられ、前記注ぎ口（３）の両側に取付回転孔（１１）内に挿入接続可能な回転柱体（１２）が設けられ、前記注ぎ口（３）は、前記注ぎ口接続具（７）に回動自在に接続され、前記注ぎ口（３）の注ぎ口接続具（７）に接続された端は、円柱状又は球状の接続端（１３）であり、前記注ぎ口接続具（７）に接続端（１３）に適合する円弧状の凹溝（１４）が設けられ、前記接続端（１３）に注ぎ口（３）の出水パイプに連通する通水孔（１５）が設けられることを特徴とする折り畳み可能なジョウロ。
【請求項２】
前記注ぎ口接続具（７）の両側に位置決め孔（８）が設けられ、前記ジョウロフレーム（１）内に前記位置決め孔（８）に対応する位置決め柱（９）が設けられ、前記ジョウロフレーム（１）に注ぎ口接続具（７）のエッジを包む凸縁（１０）がさらに設けられる、ことを特徴とする請求項１に記載の折り畳み可能なジョウロ。
【請求項３】
前記注ぎ口接続具（７）内に接続端（１３）に密封接続されたシールリング（１６）が設けられることを特徴とする請求項１に記載の折り畳み可能なジョウロ。
【請求項４】
前記ジョウロフレーム（１）は、左ジョウロフレーム（１７）及び右ジョウロフレーム（１８）を含むことを特徴とする請求項１に記載の折り畳み可能なジョウロ。
【請求項５】
前記注ぎ口（３）にノズル（１９）が接続され、前記ノズル（１９）は、ノズルカバー（２０）、ノズルシート（２１）、及びノズルカバー（２０）のエッジにヒンジで接続された回転ノズル具（２２）を含み、前記回転ノズル具（２２）及びノズルシート（２１）のいずれにも出水孔が設けられる、ことを特徴とする請求項１に記載の折り畳み可能なジョウロ。
【請求項６】
前記ジョウロ本体（２）は、軟質な防水材質で作製されることを特徴とする請求項１に記載の折り畳み可能なジョウロ。
【請求項７】
前記ジョウロフレーム（１）の片側に逆Ｌ型の取っ手（２３）がさらに設けられることを特徴とする請求項１に記載の折り畳み可能なジョウロ。
【請求項８】
前記給水口（５）は、取付部（２４）及びねじ山が設けられた接続部（２５）を含み、前記給水口（５）に取付部（２４）と接続部（２５）とを貫通する給水孔（２７）が開設され、前記給水孔（２７）は、ジョウロ本体（２）の内部空洞に連通する、ことを特徴とする請求項１に記載の折り畳み可能なジョウロ。
【請求項９】
前記給水口（５）は、ジョウロ本体（２）と同じ材質で作製され、前記給水口（５）の壁厚がジョウロ本体（２）の壁厚よりも厚いことを特徴とする請求項８に記載の折り畳み可能なジョウロ。
【請求項１０】
前記ジョウロフレーム（１）に通孔（２６）が開設され、前記取付部（２４）は、通孔（２６）内に設けられてジョウロフレーム（１）に接続され、前記接続部（２５）は、ジョウロフレーム（１）から伸び出すことを特徴とする請求項８に記載の折り畳み可能なジョウロ。
【請求項１１】
前記取付部（２４）は、少なくとも１つの突起（２８）を有し、前記ジョウロフレーム（１）の通孔（２６）内に前記突起（２８）にフィットする位置決め溝（３０）が設けられることを特徴とする請求項１０に記載の折り畳み可能なジョウロ。
【請求項１２】
前記接続部（２５）には、ジョウロ蓋（３２）が接続され、前記ジョウロ蓋（３２）は、接続部（２５）に密封を形成することができることを特徴とする請求項８に記載の折り畳み可能なジョウロ。
【請求項１３】
前記接続部（２５）に少なくとも一回りの外ねじ山が設けられ、前記ジョウロ蓋（３２）に前記接続部（２５）の外ねじ山にフィットする少なくとも一回りの内ねじ山が設けられることを特徴とする請求項１２に記載の折り畳み可能なジョウロ。
【請求項１４】
前記ジョウロ蓋（３２）に位置決め具が設けられ、前記ジョウロ蓋（３２）が給水口（５）に接続される場合に、位置決め具は、給水孔（２７）の内壁（２７ａ）に密接することを特徴とする請求項１２に記載の折り畳み可能なジョウロ。
【請求項１５】
前記位置決め具は、ジョウロ蓋（３２）内に設けられた位置決めリング（３５）であり、前記位置決めリング（３５）は、傾斜した外側面（３６）を有し、前記外側面（３６）の直径は、ジョウロ蓋（３２）の内底面（３４）から軸方向に沿ってジョウロ蓋（３２）の内底面（３４）を離れる方向に向かうにつれて徐々に小さくなることを特徴とする請求項１４に記載の折り畳み可能なジョウロ。
【請求項１６】
前記外側面（３６）の、ジョウロ蓋（３２）の内底面（３４）での直径は、給水孔（２７）の直径よりもやや大きく、前記外側面（３６）の、ジョウロ蓋（３２）の内底面（３４）を離れる箇所の直径は、給水孔（２７）の直径よりもやや小さいことを特徴とする請求項１５に記載の折り畳み可能なジョウロ。
【請求項１７】
前記接続部（２５）の端面（３３）は平面であり、前記端面（３３）は、ジョウロ蓋（３２）の内底面（３４）に密接して密封を形成することができることを特徴とする請求項１２に記載の折り畳み可能なジョウロ。
【請求項１８】
前記接続端（１３）の両側に位置制限溝（３７）が開設され、少なくとも１本の前記位置決め柱（９）は、位置決め孔（８）から伸び出して位置制限溝（３７）内に位置することを特徴とする請求項２に記載の折り畳み可能なジョウロ。